(57)【要約】      （修正有）【課題】構造が簡単で設置空間が狭くても容易に取り付けられる内蔵用ブラインドを提供する。【解決手段】多層化窓１の内部空間に設置する内蔵用ブラインド５０は、多数枚の短冊状のスラット５１を、上下方向に並べ、各スラット５１の表面が略縦方向に沿うように配置し、上下に隣接するスラット５１の両端部間を相互に紐５２で連結し、一番下のスラット５１L を磁性部材により形成する。上下に隣接するスラット５１を紐５２で連結する際、各スラット５１の室内側表面を連結するようにし、上側のスラット５１の下端部の室内側表面に下側のスラット５１の上端部の戸外側表面を重ね合わせ、各スラット５１の室内側表面の高さ方向の上端から見て、下側のスラット５１の上端までの５０乃至７５％の範囲に紐５２の上端を取り付ける。【選択図】図１
0003152913.tif 000002
【実用新案登録請求の範囲】
【請求項１】
多層化窓または戸の内部空間に設置される内蔵用ブラインドにおいて、
多数枚の短冊状のスラットを、上下方向に並べ、各スラットの表面が略縦方向に沿うように配置し、
上下に隣接するスラットの少なくとも両端部間を相互に紐で連結し、
一番下のスラットを磁性部材により形成したこと、
を特徴とする内蔵用ブラインド。
【請求項２】
多層化窓または戸の内部空間に設置される内蔵用ブラインドにおいて、
多数枚の短冊状のスラットを、上下方向に並べ、各スラットの表面が略縦方向に沿うように配置し、
上下に隣接するスラットの少なくとも両端部間を相互に紐で連結し、
一番下のスラットの少なくとも中央部または左右両側の一部に磁性部材または磁石を取り付けたこと、
を特徴とする内蔵用ブラインド。
【請求項３】
上下に隣接するスラットを紐で連結する際、上側のスラットの室内側表面（または戸外側表面）と下側スラットの室内側表面（または戸外側表面）を連結するようにし、
上側のスラットの下端部の室内側表面（または戸外側表面）に下側のスラットの上端部の戸外側表面（または室内側表面）を重ね合わせ、
一番下のスラットを除く各スラットの室内側表面（または戸外側表面）の高さ方向の上端から見て、下側のスラットの上端までの途中に紐の上端を取り付けるようにしたこと、
を特徴とする請求項１または２記載の内蔵用ブラインド。
【請求項４】
一番下のスラットを除く各スラットの室内側表面（または戸外側表面）の高さ方向の上端から見て、下側のスラットの上端までの５０乃至７５％の範囲に紐の上端を取り付けるようにしたこと、
を特徴とする請求項３記載の内蔵用ブラインド。
【請求項５】
上下に隣接するスラットを紐で連結する際、上側のスラットの戸外側表面（または室内側表面）と下側スラットの戸外側表面（または室内側表面）を連結するようにし、
上側のスラットの下端部の室内側表面（または戸外側表面）に下側のスラットの上端部の戸外側表面（または室内側表面）を重ね合わせ、
一番上のスラットを除く各スラットの室内側表面（または戸外側表面）の高さ方向の下端から見て、上側のスラットの下端までの途中に紐の下端を取り付けるようにしたこと、
を特徴とする請求項１または２記載の内蔵用ブラインド。
【請求項６】
一番上のスラットを除く各スラットの室内側表面（または戸外側表面）の高さ方向の下端から見て、上側のスラットの下端までの５０乃至７５％の範囲に紐の下端を取り付けるようにしたこと、
を特徴とする請求項５記載の内蔵用ブラインド。
【考案の詳細な説明】
【技術分野】
【０００１】
本考案は内蔵用ブラインドに係り、とくに多層化窓または戸の内部空間に設置する場合に好適な内蔵用ブラインドに関する。
【背景技術】
【０００２】
従来、外光を取り入れる窓や戸は、アルミサッシ等の枠体に透明ガラス板を１枚取り付けた単板が主流であったが、近年、枠体に２枚の透明ガラス板を前後二重に取り付けて多層化構造とした窓や戸が実用化されている。この多層化窓や戸は、単板と比較して中間の空気層の存在により、断熱性に優れており、夏場の冷房、冬場の暖房に対し省エネ効果が非常に高いという特徴を有する。多層化窓または戸に日除けのブラインドを組み合わせて夏場の室温上昇を抑える場合、多層化窓または戸の外側（屋外）に設置しようとすると高い強度と耐候性が必要であり、また施工も大掛かりなものとなる。一方、多層化窓または戸の内側（室内）に設置すると日射の遮蔽性能が低くなる。このため、従来から、多層化窓または戸の内部空間の空気層に内蔵させたブラインドが開発されている。特願２００４−５１５４２４号公報には、蛇腹状のブラインドの下端部に第１の磁石を取り付け、ガラス板の外側から第２の磁石を第１の磁石に接近させた状態で昇降させることで開閉可能としたブラインド内蔵の戸が開示されている（特許文献１）。
【０００３】
既設の単板窓や戸に対しても透明ガラス板、透明プラスチック板等を後付けし多層化するとともに、内部の空気層にブラインドを内蔵すれば、夏場は冷房の省エネに多大な寄与をすることができ、冬場はブラインドを上げるか外し、日射エネルギーを取得することで、暖房の省エネに多大な寄与をすることができる。けれども、既設の単板窓や戸を後付けで多層化する場合、内部空間の空気層が狭く、上記した蛇腹状のブラインドでは設置が困難であった。
【先行技術文献】
【特許文献】
【０００４】
【特許文献１】特願２００４−５１５４２４号公報
【考案の概要】
【考案が解決しようとする課題】
【０００５】
本考案は上記した従来技術の問題に鑑み、構造が簡単で設置空間が狭くても容易に取り付けられる内蔵用ブラインドを提供することを、その目的とする。
【課題を解決するための手段】
【０００６】
請求項１記載の考案では、多層化窓または戸の内部空間に設置される内蔵用ブラインドにおいて、多数枚の短冊状のスラットを、上下方向に並べ、各スラットの表面が略縦方向に沿うように配置し、上下に隣接するスラットの少なくとも両端部間を相互に紐で連結し、一番下のスラットを磁性部材により形成したこと、を特徴としている。
請求項２記載の考案では、多層化窓または戸の内部空間に設置される内蔵用ブラインドにおいて、多数枚の短冊状のスラットを、上下方向に並べ、各スラットの表面が略縦方向に沿うように配置し、上下に隣接するスラットの少なくとも両端部間を相互に紐で連結し、一番下のスラットの少なくとも中央部または左右両側の一部に磁性部材または磁石を取り付けたこと、を特徴としている。
請求項３記載の考案では、上下に隣接するスラットを紐で連結する際、上側のスラットの室内側表面（または戸外側表面）と下側スラットの室内側表面（または戸外側表面）を連結するようにし、上側のスラットの下端部の室内側表面（または戸外側表面）に下側のスラットの上端部の戸外側表面（または室内側表面）を重ね合わせ、一番下のスラットを除く各スラットの室内側表面（または戸外側表面）の高さ方向の上端から見て、下側のスラットの上端までの途中に紐の上端を取り付けるようにしたこと、を特徴としている。
請求項４記載の考案では、一番下のスラットを除く各スラットの室内側表面（または戸外側表面）の高さ方向の上端から見て、下側のスラットの上端までの５０乃至７５％の範囲に紐の上端を取り付けるようにしたこと、を特徴としている。
請求項５記載の考案では、上下に隣接するスラットを紐で連結する際、上側のスラットの戸外側表面（または室内側表面）と下側スラットの戸外側表面（または室内側表面）を連結するようにし、上側のスラットの下端部の室内側表面（または戸外側表面）に下側のスラットの上端部の戸外側表面（または室内側表面）を重ね合わせ、一番上のスラットを除く各スラットの戸外側表面（または室内側表面）の高さ方向の下端から見て、上側のスラットの下端までの途中に紐の下端を取り付けるようにしたこと、を特徴としている。
請求項６記載の考案では、一番上のスラットを除く各スラットの戸外側表面（または室内側表面）の高さ方向の下端から見て、上側のスラットの下端までの５０乃至７５％の範囲に紐の下端を取り付けるようにしたこと、を特徴としている。
【考案の効果】
【０００７】
本考案によれば、多層化窓または戸の内部空間に設置される内蔵用ブラインドにおいて、多数枚の短冊状のスラットを、上下方向に並べ、各スラットの表面が略縦方向に沿うように配置し、上下に隣接するスラットの少なくとも両端部間を相互に紐で連結したので、構造が簡単で済むとともに、ブラインドの厚みを薄くすることができ、既設の窓または戸を後付けで多層化する場合など、ブラインドを内蔵させる内部空間が狭くても、容易に設置できる。
また、一番下のスラットを外部から磁石による磁力で昇降させることで、ブラインドの開閉を簡単に行なうこともできる。
また、上下に隣接するスラットを紐で連結する際、上側のスラットの室内側表面（または戸外側表面）と下側スラットの室内側表面（または戸外側表面）を連結するようにし、上側のスラットの下端部の室内側表面（または戸外側表面）に下側のスラットの上端部の戸外側表面（または室内側表面）を重ね合わせ、一番下のスラットを除く各スラットの室内側表面（または戸外側表面）の高さ方向の上端から見て、下側のスラットの上端までの途中に紐の上端を取り付けることにより、ブラインドを閉じたときに隙間が生じないようにしながら、狭い内部空間でも円滑な開閉動作を可能とできる。
また、上下に隣接するスラットを紐で連結する際、上側のスラットの戸外側表面（または室内側表面）と下側スラットの戸外側表面（または室内側表面）を連結するようにし、上側のスラットの下端部の室内側表面（または戸外側表面）に下側のスラットの上端部の戸外側表面（または室内側表面）を重ね合わせ、一番上のスラットを除く各スラットの戸外側表面（または室内側表面）の高さ方向の下端から見て、上側のスラットの下端までの途中に紐の下端を取り付けることにより、ブラインドを閉じたときに隙間が生じないようにしながら、狭い内部空間でも円滑な開閉動作を可能とできる。
【図面の簡単な説明】
【０００８】
【図１】本考案に係るブラインド内蔵形の多層化窓の第１実施例を示す一部省略した縦断面図である（実施例１）。
【図２】図１中の取り付け金具の外観斜視図である。
【図３】図１の多層化窓の組み立て手順の説明図である。
【図４】図１の多層化窓の組み立て手順の説明図である。
【図５】図１の多層化窓の組み立て手順の説明図である。
【図６】図１中の内蔵用ブラインドを開ける場合の動作説明図である。
【図７】図１中の内蔵用ブラインドの変形例に係る一部省略した縦断面図である。
【図８】本考案に係るブラインド内蔵形の多層化窓の第２実施例を示す一部省略した縦断面図である（実施例２）。
【図９】図９中の内蔵用ブラインドを開ける場合の動作説明図である。
【図１０】図９中の内蔵用ブラインドの変形例に係る一部省略した縦断面図である。
【考案を実施するための最良の形態】
【０００９】
以下、本考案の最良の形態を実施例に基づき説明する。
【実施例１】
【００１０】
図１を参照して本考案に係るブラインド内蔵形の多層化窓の第１実施例を説明する。図１はブラインド内蔵形の多層化窓の一部省略した縦断面図であり、後述する下側の取り付け金具の取り付け箇所での縦断面図である。
図１において、１は既設の単板窓を多層化した多層化窓であり、既設の単板窓（図３の符号１０参照）に、取り付け金具２０を用いて透明プラスチックボード３０を係止させることで、後付けにより多層化されている。４０は単板窓１０と透明プラスチックボード３０の間に内部空間の空気層を確保するための枠状のスペーサであり、単板窓１０の透明ガラス板（図３の符号１４参照）に接着されている。５０は多層化窓１の内部空間の空気層に配設された内蔵用ブラインドであり、スペーサ４０の上辺の下面に取り付けられた左右２つのフック（図３の符号４１参照）に紐（図３の符号４２参照）により吊持されている。
図３に示す如く、既設の単板窓１０は、方形のアルミ製の枠体１１の開口部１２に、方形枠状の密閉性緩衝部材（グレージングチャンネル）１３を介して透明ガラス板１４が密閉支持されたものである。スペーサ４０は硬質ゴム部材、硬質プラスチック部材などにより形成されている。このスペーサ４０と透明プラスチックボード３０は、既設の単板窓１０の開口部１２と略同形で僅かに小さく、開口部１２に嵌る寸法に形成されている。
【００１１】
内蔵用ブラインド５０は、多数枚の金属製の互いに同形で短冊状のスラット５１を上下方向に並べ、各スラット５１の表面が多層化窓１の内部の空気層の略縦方向に沿うようにして横長に配置し、上下に隣接するスラット５１の両端部間を相互に紐５２で連結することにより形成してある。そして、一番下のスラット５１L は磁性部材の１つである鋼板製としてあり、多層化窓１の室内側外部から磁石（図６の符号６０参照）による磁力で上下に昇降させることにより、内蔵用ブラインド５０の開閉が可能となっている。なお、一番下のスラット５１L は予め着磁済であっても良い。
上下に隣接するスラット５１は、上側のスラット５１の室内側表面と下側のスラット５１の室内側表面が紐５２により連結されている。そして、上側のスラット５１の下端部の室内側表面に下側のスラット５１の上端部の戸外側表面が重ね合わされており、一番下のスラット５１L を除く各スラット５１の室内側表面の高さ方向の上端から見て、下側のスラット５１の上端までの５０％〜７５％の範囲内に紐５２の上端が取り付けられている。
【００１２】
取り付け金具２０は、単板窓１の上辺と下辺の各々左右２箇所で透明プラスチックボード３０を単板窓１に取り付けている。取り付け金具２０は、取り付け前は、図２に示す如く、全体が鋼製のピン状に形成されており、一端側が略Ｌ字状に折曲されるともに、一端側とは反対の他端側が、予め、一端側とは９０度異なる方向に略Ｌ字状に折曲された形状を有し、一端側が差し込み部２１を成し、他端側が曲げ部２２を成す。
【００１３】
図３乃至図５を用いて、多層化窓１の組み立て方法を説明すると、まず、４個の取り付け金具２０、透明プラスチックボード３０、左右２つのフック４１を取り付けたスペーサ４０、内蔵用ブラインド５０を用意する。既設の単板窓１０の透明ガラス板１４の上辺と下辺の各々左右２箇所で、透明ガラス板１４と密閉性緩衝部材１３の間に取り付け金具２０の差し込み部２１を差し込み、嵌着する。この際、曲げ部２２は左右方向に向くようにする（図３の矢印Ａ、図４の矢印Ａ参照）。
次に、スペーサ４０を単板窓１０の開口部１２の透明ガラス板１４に接着し、スペーサ４０の上辺の下面に取り付けられた左右２つのフック４１に内蔵用ブラインド５０の一番上のスラット５１を紐４２により吊持させる（図３の矢印Ｂ、図４の矢印Ｂ参照）。
次に、透明プラスチックボード３０を４個の取り付け金具２０の間に嵌め（図３の矢印Ｃ、図５の矢印Ｃ参照）、透明プラスチックボード３０の周端縁がスペーサ４０に当接するようにする。最後に、治具を用いて取り付け金具２０の曲げ部２２を透明プラスチックボード３０と平行な面内で略９０度曲げ、透明プラスチックボード３０の端部を係止させる（図２の矢印Ｄ、図５の矢印Ｄ、図１参照）。これにより、ブラインド内蔵の多層化窓１が完成する（図１参照）。透明プラスチックボード３０の周端縁がスペーサ４０に当接することで、既設の透明ガラス板１４と後付けの透明プラスチックボード３０の間に空気層のスペースが確保され、断熱効果を発揮する。
透明プラスチックボード３０または透明プラスチックボード３０と内蔵用ブラインド５０を取り外したい場合、取り付け金具２０の曲げ部２２を元の向きに曲げれば、簡単に外すことができる。
【００１４】
このようにして組み立てられた多層化窓１の内部空間の空気層に配設された内蔵用ブラインド５０は、外部から何もしないとき、各スラット５１が自重で略縦向きの状態でぶら下がってブラインド全体が下へ閉じた状態となり、日射を遮蔽する（図１参照）。この際、上下のスラット間に隙間は生じない。また、上下のスラット５１が上下端部で部分的に重なり合っているだけなので、ブラインド５０は厚くならない。
日射エネルギーを戸外から取り入れたい場合は、一番下のスラット５１L に透明プラスチックボード３０の外側から磁石６０を近づけて、磁力により吸引させた状態で上方に引き上げれば、各スラット５１が重なりながら上方へ移動し（図６の矢印Ｅ、Ｆ参照）、内蔵用ブラインド５０が上へ開いた状態となる。磁石６０を透明プラスチックボード３０の表面に着けたまま手を解放すれば、磁力により、磁石６０とスラット５１L が透明プラスチックボード３０を挟んだ状態で留まる。
内蔵用ブラインド５０を下へ閉じたい場合は、磁石６０を下げながらスラット５１L を下方へ下げ、内蔵用ブラインド５０の全体が閉じた状態となったところで磁石６０を透明プラスチックボード３０から外へ離せばよい。
【００１５】
この実施例によれば、既設の単板窓１の透明ガラス板１４の上辺と下辺の各々２箇所で、透明ガラス板１４と密閉性緩衝部材１３の間に取り付け金具２０の一端側の差し込み部２１を差し込み、透明ガラス板１４にフック４１を取り付けたスペーサ４０を接着し、フック４１に内蔵用ブラインド５０を吊持させ、透明プラスチックボード３０を取り付け金具２０の間に嵌め、透明プラスチックボード３０の周端縁をスペーサ４０に当接させ、取り付け金具２０の他端側の曲げ部２２を曲げて透明プラスチックボード３０の端部を係止させるという簡単な作業で既設の単板窓１０を多層化し、かつ、ブラインド内蔵構造とすることができる。また、多層化後も、取り付け金具２０の曲げ部２２を元に戻すことで、透明プラスチックボード３０や内蔵用ブラインド５０を簡単に取り外すことができる。
しかも、内蔵用ブラインド５０を、多数枚の金属製で互いに同形な短冊状のスラット５１を上下方向に並べ、各スラット５１の表面が多層化窓１の内部空間の空気層の略縦方向に沿うようにして横長に配置し、上下に隣接するスラット５１の両端部間を相互に紐５２で連結することにより形成したので、構造が簡単で済むとともに、内蔵用ブラインド５０を下げた状態にしたときの厚みを薄くすることができ、既設の単板窓１０の透明ガラス板１４と後付けした透明プラスチックボード３０の間の狭い空間にも簡単にブラインドを設置することができる。
また、一番下のスラット５１L を磁性部材である鋼板製としたので、外部から接近させた磁石６０を上下し、磁力でスラット５１L を昇降させることでブラインドの上下への開閉を簡単に行なうことができる。
更に、上側のスラット５１の下端部の室内側表面に下側のスラット５１の上端部の戸外側表面を重ね合わせ、一番下のスラット５１L を除く各スラット５１の室内側表面の高さ方向の上端から見て、下側のスラット５１の上端までの５０％〜７５％の範囲内に紐５２の上端を取り付けたことにより、下側のスラット５１を上げたときに該下側のスラット５１の上端が上側のスラット５１の上端以下に重なるので、円滑に昇降動作を行なうことが出来るとともに、内蔵用ブラインド５０の最大開放度を、ほぼ１００％〜５０％とすることができる（下側のスラット５１の上端までの５０％の位置に取り付けたとき、最大開放度がほぼ１００％となり、７５％の位置に取り付けたとき、最大開放度がほぼ５０％となる）。
【００１６】
なお、上記した第１実施例では、上下に隣接するスラットを紐で連結する際、上側のスラットの室内側表面と下側のスラットの室内側表面を連結するようにしたが、これと反対に、図７の多層化窓１Ａの内部空間に配設した内蔵用ブラインド５０Ａに示す如く、上側のスラット５１の戸外側表面と下側のスラット５１の戸外側表面を連結し、上側のスラット５１の下端部の戸外側表面に下側のスラット５１の上端部の室内側表面を重ね合わせ、一番下のスラット５１L を除く各スラット５１の戸外側表面の高さ方向の上端から見て、下側のスラット５１の上端までの５０％〜７５％の範囲に紐５２の上端を取り付けるようにしても良い。図７の変形例でも、図１の場合と同様にして多層化窓１Ａの狭い内部空間に簡単に設置できる。また、昇降動作を円滑に行なうことが出来るとともに、内蔵用ブラインド５０Ａの最大開放度を、ほぼ１００％〜５０％とすることができる。
また、上記した第１実施例では、一番下のスラットの全体を磁性部材としたが、少なくとも中央部分または少なくとも左右両側の一部分に、磁性部材または磁石を装着しても良い。
また、上記した第１実施例において、一番下のスラットを除く各スラットの室内側表面の高さ方向の上端から見て、下側のスラットの上端までの５０％〜７５％の範囲内に紐の上端を取り付けるようにしたが、５５％〜７５％の範囲内など、５０％より大きく７５％より小さい範囲とし、下側のスラットを上げたときに該下側のスラットの上端が上側のスラットの上端より下に重なるようにしても良い。図７の変形例においても、各スラットの戸外側表面の高さ方向の上端から見て、下側のスラットの上端までの５０％〜７５％の範囲内に紐の上端を取り付けるようにしたが、５５％〜７５％の範囲内など、５０％より大きく７５％より小さい範囲とし、下側のスラットを上げたときに該下側のスラットの上端が上側のスラットの上端より下に重なるようにしても良い。
【実施例２】
【００１７】
次に、図８を参照して本考案に係るブラインド内蔵形の多層化窓の第２実施例を説明する。図８はブラインド内蔵形の多層化窓の一部省略した縦断面図であり、図１と同一の構成部分には同一の符号が付してある。
図１の第１実施例では、上下に隣接するスラットを紐で連結する際、上側のスラットの室内側表面と下側のスラットの室内側表面を連結するようにしたが、この第２実施例では、上側のスラットの戸外側表面と下側のスラットの戸外側表面を連結するようにし、上側のスラットの下端部の室内側表面に下側のスラットの上端部の戸外側表面を重ね合わせたものである。
図８において、多層化窓１Ｂの内、５０Ｂは内蔵用ブラインドであり、多数枚の金属製の互いに同形で短冊状のスラット５１を上下方向に並べ、各スラット５１の表面が多層化窓１の内部の空気層の略縦方向に沿うようにして横長に配置し、上下に隣接するスラット５１の両端部間を相互に紐５２で連結することにより形成してある。上下に隣接するスラット５１は、上側のスラット５１の戸外側表面と下側のスラット５１の戸外側表面が紐５２により連結されている。そして、上側のスラット５１の下端部の室内側表面に下側のスラット５１の上端部の戸外側表面が重ね合わされており、一番上のスラット５１を除く各スラット５１の戸外側表面の高さ方向の下端から見て、上側のスラット５１の下端までの５０乃至７５％の範囲に紐５２の下端が取り付けられている。
一番下のスラット５１０L は左右方向（長手方向）の中央部分に磁石１００が装着されている。
多層化窓１Ｂのその他の構成部分と、多層化窓１Ｂの組み立て方法は図１に示した第１実施例と全く同様であり、説明を省略する。
【００１８】
図８の第２実施例によっても、内蔵用ブラインド５０Ｂの構造が簡単で済む。そして、外部から何もしなれば、各スラット５１が自重で略縦向きの状態でぶら下がってブラインド全体が閉じた状態となり、日射を遮蔽する。この際、上下のスラット間に隙間は生じない。また、上下のスラット５１が上下端部で部分的に重なり合っているだけなので、内蔵用ブラインド５０Ｂは厚くならず、既設の単板窓１０の透明ガラス板１４と後付けした透明プラスチックボード３０の間の狭い空間にも簡単にブラインドを設置することができる。
日射エネルギーを戸外から取り入れたい場合、一番下のスラット５１０L の中央部分に装着した磁石１００に透明プラスチックボード３０の外側から他の磁石６０を近づけて、磁力により吸引させた状態でスラット５１０L を水平に保ったまま上方に引き上げれば、各スラット５１が部分的に重なりながら上方へ移動し、内蔵用ブラインド５０Ｂが開いた状態となる（図９の矢印Ｇ、Ｈ参照）。磁石６０を透明プラスチックボード３０の表面に着けたまま手を解放すれば、磁力により、磁石６０とスラット５１０L が透明プラスチックボード３０を挟んだ状態で留まる。
内蔵用ブラインド５０Ｂを下に閉じたいときは、磁石６０を下げながらスラット５１０L を下方へ下げ、内蔵用ブラインド５０Ｂの全体が閉じた状態となったところで磁石６０を透明プラスチックボード３０から外へ離せばよい。
内蔵用ブラインド５０Ｂを開閉する際、下側のスラット５１の上端は上側のスラット５１の上端以下に重なるので、円滑に昇降動作を行なうことが出来るとともに、内蔵用ブラインド５０Ｂの最大開放度を、ほぼ１００％〜５０％とすることができる（上側のスラット５１の下端までの５０％の位置に取り付けたとき、最大開放度がほぼ１００％となり、７５％の位置に取り付けたとき、最大開放度がほぼ５０％となる）。
【００１９】
なお、図８の第２実施例では、上下に隣接するスラットを紐で連結する際、上側のスラットの戸外側表面と下側のスラットの戸外側表面を連結するようにしたが、これと反対に、図１０の多層化窓１Ｃの内部空間の空気層に配設した内蔵用ブラインド５０Ｃに示す如く、上側のスラット５１の室内側表面と下側のスラット５１の室内側表面を連結し、上側のスラット５１の下端部の戸外側表面に下側のスラット５１の上端部の室内側表面を重ね合わせ、一番上のスラット５１を除く各スラット５１の室内側表面の高さ方向の下端から見て、上側のスラット５１の下端までの５０％〜７５％の範囲に紐５２の下端を取り付けるようにしても良い。図１０の変形例でも、図８の場合と同様にして、多層化窓１Ｃの狭い内部空間に簡単に設置できる。また、昇降動作を円滑に行なうことが出来るとともに、内蔵用ブラインド５０Ｃの最大開放度を、ほぼ１００％〜５０％とすることができる。
【００２０】
また、上記した第２実施例では、一番下のスラットの中央部分に磁石を装着したが、左右両側の一部分に２つの磁石を装着しても良く、或いは、一番下のスラットの中央部分に磁性部材を装着したり、左右両側の一部分に２つの磁性部材を装着しても良い。また、一番下のスラット全体を磁性部材としても良い。
また、上記した第２実施例において、各スラット５１の戸外側表面の高さ方向の下端から見て、上側のスラット５１の下端までの５０％〜７５％の範囲内に紐５２の下端を取り付けるようにしたが、５５％〜７５％の範囲内など、５０％より大きく７５％より小さい範囲とし、下側のスラット５１を上げたときに該下側のスラット５１の上端が上側のスラット５１の上端より下に重なるようにしても良い。図１０の変形例においても、各スラット５１の室内側表面の高さ方向の下端から見て、上側のスラット５１の下端までの５０％〜７５％の範囲内に紐５２の下端を取り付けるようにしたが、５５％〜７５％の範囲内など、５０％より大きく７５％より小さい範囲とし、下側のスラット５１を上げたときに該下側のスラット５１の上端が上側のスラット５１の上端より下に重なるようにしても良い。
【００２１】
また、各実施例及び変形例では、既設の窓は透明ガラス板が支持されたものとしたが、透明プラスチックボードが支持されたもの、遮光塗装または遮光フィルムが貼られた半透明のガラス板、半透明のプラスチックボードであっても良い。同様に、後付けの透明プラスチックボードは、遮光塗装または遮光フィルムが貼られた半透明のガラス板、半透明のプラスチックボードに代えても良い。
また、既設の窓の代わりに、既設の戸に対しても、全く同様にして多層化し、かつ、内蔵用ブラインドを多層化戸の内部空間の空気層に配置することもできる。
【産業上の利用可能性】
【００２２】
本考案は、既設の窓や戸を多層化し、かつ、ブラインドを内部の空間に配設する場合や多層化窓または戸をブラインド内蔵構造とする場合に適用できる。
【符号の説明】
【００２３】
１、１Ａ、１Ｂ、１Ｃ  多層化窓
１０  単板窓
１１  枠体
１２  開口部
１３  密閉性緩衝部材
１４  透明ガラス板
２０  取り付け金具
２１  差し込み部
２２  曲げ部
３０  透明プラスチックボード
４０  スペーサ
５０、５０Ａ、５０Ｂ、５０Ｃ  内蔵用ブラインド
５１、５１L 、５１０L   スラット
【図１】
0003152913.tif 000003
【図２】
0003152913.tif 000004
【図３】
0003152913.tif 000005
【図４】
0003152913.tif 000006
【図５】
0003152913.tif 000007
【図６】
0003152913.tif 000008
【図７】
0003152913.tif 000009
【図８】
0003152913.tif 000010
【図９】
0003152913.tif 000011
【図１０】
0003152913.tif 000012
【手続補正書】
【提出日】平成21年6月12日(2009.6.12)
【手続補正１】
【補正対象書類名】実用新案登録請求の範囲
【補正対象項目名】全文
【補正方法】変更
【補正の内容】
【実用新案登録請求の範囲】
【請求項１】
多層化窓または戸の内部空間に設置される内蔵用ブラインドにおいて、
多数枚の短冊状のスラットを、上下方向に並べ、各スラットの表面が略縦方向に沿うように配置し、
上下に隣接するスラットの少なくとも両端部間を相互に紐で連結し、
一番下のスラットを磁性部材により形成したこと、
を特徴とする内蔵用ブラインド。
【請求項２】
多層化窓または戸の内部空間に設置される内蔵用ブラインドにおいて、
多数枚の短冊状のスラットを、上下方向に並べ、各スラットの表面が略縦方向に沿うように配置し、
上下に隣接するスラットの少なくとも両端部間を相互に紐で連結し、
一番下のスラットの少なくとも中央部または左右両側の一部に磁性部材または磁石を取り付けたこと、
を特徴とする内蔵用ブラインド。
【請求項３】
上下に隣接するスラットを紐で連結する際、上側のスラットの室内側表面と下側スラットの室内側表面を連結するようにし、
上側のスラットの下端部の室内側表面に下側のスラットの上端部の戸外側表面を重ね合わせ、
一番下のスラットを除く各スラットの室内側表面の高さ方向の上端から見て、下側のスラットの上端までの途中に紐の上端を取り付けるようにしたこと、
または、
上下に隣接するスラットを紐で連結する際、上側のスラットの戸外側表面と下側スラットの戸外側表面を連結するようにし、
上側のスラットの下端部の戸外側表面に下側のスラットの上端部の室内側表面を重ね合わせ、
一番下のスラットを除く各スラットの戸外側表面の高さ方向の上端から見て、下側のスラットの上端までの途中に紐の上端を取り付けるようにしたこと、
を特徴とする請求項１または２記載の内蔵用ブラインド。
【請求項４】
一番下のスラットを除く各スラットの室内側表面または戸外側表面の高さ方向の上端から見て、下側のスラットの上端までの５０乃至７５％の範囲に紐の上端を取り付けるようにしたこと、
を特徴とする請求項３記載の内蔵用ブラインド。
【請求項５】
上下に隣接するスラットを紐で連結する際、上側のスラットの戸外側表面と下側スラットの戸外側表面を連結するようにし、
上側のスラットの下端部の室内側表面に下側のスラットの上端部の戸外側表面を重ね合わせ、
一番上のスラットを除く各スラットの室内側表面の高さ方向の下端から見て、上側のスラットの下端までの途中に紐の下端を取り付けるようにしたこと、
または、
上下に隣接するスラットを紐で連結する際、上側のスラットの室内側表面と下側スラットの室内側表面を連結するようにし、
上側のスラットの下端部の戸外側表面に下側のスラットの上端部の室内側表面を重ね合わせ、
一番上のスラットを除く各スラットの戸外側表面の高さ方向の下端から見て、上側のスラットの下端までの途中に紐の下端を取り付けるようにしたこと、
を特徴とする請求項１または２記載の内蔵用ブラインド。
【請求項６】
一番上のスラットを除く各スラットの室内側表面または戸外側表面の高さ方向の下端から見て、上側のスラットの下端までの５０乃至７５％の範囲に紐の下端を取り付けるようにしたこと、
を特徴とする請求項５記載の内蔵用ブラインド。